(57)【要約】【課題】  照明の均一性を低下させることなく、照明光の利用効率を高めることができる照明装置を提供すること。【解決手段】  光源装置２１からの光源光は、色分割光学系２３で色分割され、対応する液晶ライトバルブ２５ａ〜２５ｃに照明光としてそれぞれ入射する。この際、第１フライアイ光学系２１ｄを構成するレンズ要素ＬＥ１のＸ方向の周期に対して、第２フライアイ光学系２１ｅのレンズ要素ＬＥ２や偏光変換部材２１ｇの偏光形成部４１のＸ方向の周期が適宜大きくなるように調整しているので、光軸ＯＡ近傍の光源を無駄なく特定方向の偏光（例えばＳ偏光）に変換することができ、各液晶ライトバルブ２５ａ〜２５ｃに対する均一で明るい照明を達成することができる。【選択図】  図１
2005266114.tif 000002
【特許請求の範囲】
【請求項１】
光源光を発生する光源と、
光軸に垂直な所定方向に第１間隔で周期的に配置された複数の光学要素を有してなり、前記光源から射出された光源光を前記所定方向に関して前記第１間隔に対応する間隔で分割するとともに２次光源像を形成する波面分割手段と、
前記所定方向に前記第１間隔より大きな第２間隔で周期的に配置された複数の偏光形成部を連結してなり、前記波面分割手段を経て形成された前記２次光源像からの光源光を所定の偏光方向の偏光光に変換する偏光変換手段と、
前記複数の光学要素からの光束を被照射面に照明光として重畳して投射する照明光投射手段と、
を備える照明装置。
【請求項２】
前記複数の偏光形成部のうち前記所定方向に関する両端を除いた偏光形成部は、反射膜をそれぞれ内蔵する一対の四角柱状のプリズム部分を軸方向が前記所定方向及び光軸に垂直になるように前記所定方向に連結した構造を有するとともに、一方のプリズム部分の射出側面に波長板を取り付けたものであり、全体として、前記所定方向に関して光軸の両側に対称に配列されていることを特徴とする請求項１記載の照明装置。
【請求項３】
前記複数の偏光形成部のうち前記所定方向の両端の偏光形成部は、反射膜を内蔵する単一の四角柱状のプリズム部分を軸方向が前記所定方向及び光軸に垂直になるように配置したものであることを特徴とする請求項２記載の照明装置。
【請求項４】
前記波面分割手段は、前記複数の光学要素として複数のレンズ要素を有する第１フライアイ光学系と、当該第１フライアイ光学系の後段に配置されるとともに、当該第１フライアイ光学系の前記複数の光学要素にそれぞれ対応して配置される複数のレンズ要素を有する第２フライアイ光学系とを備えることを特徴とする請求項１から請求項３のいずれか一項記載の照明装置。
【請求項５】
前記第２フライアイ光学系を構成する前記複数のレンズ要素は、前記所定方向に前記第２間隔で周期的に配置されていることを特徴とする請求項４記載の照明装置。
【請求項６】
前記第１フライアイ光学系を構成する前記複数のレンズ要素は、偏心した形状によって、前記第２フライアイ光学系を構成する前記複数のレンズ要素の位置に対応して２次光源像を形成することを特徴とする請求項４及び請求項５のいずれか一項記載の照明装置。
【請求項７】
前記照明光投射手段を経た光源光から各色の照明光を分割する色分割光学系をさらに備えることを特徴とする請求項１から請求項６のいずれか一項記載の照明装置。
【請求項８】
請求項７記載の照明装置と、
前記各色の照明光によってそれぞれ照明されるとともに各色の照明光を個別に変調する複数の光変調装置と、
前記各色の照明光を前記複数の光変調装置によって変調することによって得られる各色の像光を合成して射出する光合成部材と、
前記光合成部材を経て合成された像光を投射する投射光学系と
を備えるプロジェクタ。
【請求項９】
請求項１から請求項６のいずれか一項記載の照明装置と、
前記照明装置からの照明光によって照明されるとともに照明光を変調する光変調装置と、
前記照明光を前記光変調装置によって変調することによって得られる像光を投射する投射光学系と
を備えるプロジェクタ。
【発明の詳細な説明】
【技術分野】
【０００１】
本発明は、液晶表示パネルその他の光変調装置の照明に好適な照明装置、及び、これに照明される光変調装置によって形成された画像を投射するプロジェクタに関する。
【背景技術】
【０００２】
プロジェクタに組み込まれる液晶表示パネルの照明装置として、光源からの光束を一対の同一サイズのフライアイ光学系で波面分割及び重畳して液晶表示パネルの被照射面を照明するものが存在する。このような、照明装置では、照明光の利用効率を高めるため、フライアイ光学系の後段にこれを構成する各レンズ要素の間隔に対応して周期的に配置された複数の偏光ビームスプリッタからなる偏光変換部材を配置することが多い（特許文献１参照）。
【特許文献１】特開２００２−９０５０５号公報
【発明の開示】
【発明が解決しようとする課題】
【０００３】
上記のような照明装置では、偏光変換部材を構成する偏光ビームスプリッタの数、すなわちフライアイ光学系による光源光の分割数を増やせば、被照射面における照明の均一性を高めることができる。しかしながら、中央付近の２次光源像は、周辺に比較して輝度が高く周囲に滲んでサイズが相対的に大きくなる傾向があるので、光源光の分割数を増加させれば増加させるほど、中央付近の２次光源像が対応する偏光ビームスプリッタから周囲にはみ出して投影され、照明光の利用効率が結果的に下がる場合がある。
【０００４】
そこで、本発明は、照明の均一性を低下させることなく、照明光の利用効率を高めることができる照明装置を提供することを目的とする。
【０００５】
また、本発明は、上記照明装置を用いて光変調装置を照明することによって画像を投射するプロジェクタを提供することを目的とする。
【課題を解決するための手段】
【０００６】
上記課題を解決するため、本発明に係る照明装置は、（ａ）光源光を発生する光源と、（ｂ）光軸に垂直な所定方向に第１間隔で周期的に配置された複数の光学要素を有してなり、光源から射出された光源光を所定方向に関して第１間隔に対応する間隔で分割するとともに２次光源像を形成する波面分割手段と、（ｃ）所定方向に第１間隔より大きな第２間隔で周期的に配置された複数の偏光形成部を連結してなり、波面分割手段を経て形成された２次光源像からの光源光を所定の偏光方向の偏光光に変換する偏光変換手段と、（ｄ）複数の光学要素からの光束を被照射面に照明光として重畳して投射する照明光投射手段とを備える。
【０００７】
上記照明装置では、偏光変換手段が、所定方向に第１間隔より大きな第２間隔で周期的に配置された複数の偏光形成部を連結してなるので、波面分割手段によって形成された２次光源像のうち光軸に近い中央側のものを比較的幅広い偏光形成部で受けることができ、照明光の利用効率を高めることができる。なお、波面分割手段に設けた複数の光学要素は、基準となる第１間隔で周期的に配置されているので、光源光の分割数は減少せず、照明の均一性はほとんど劣化しない。
【０００８】
本発明の具体的態様では、上記照明装置において、複数の偏光形成部のうち所定方向に関する両端を除いた偏光形成部は、反射膜をそれぞれ内蔵する一対のプリズム部分を軸方向が所定方向及び光軸に垂直になるように所定方向に連結した構造を有するとともに、一方のプリズム部分の射出側面に波長板を取り付けたものであり、全体として、所定方向に関して光軸の両側に対称に配列されている。この場合、反射膜を内蔵する一対のプリズム部分と波長板とを利用して照明光から偏光光を得るので、偏光を得る際の照明光のロスを低減することができる。
【０００９】
また、本発明の別の具体的態様では、複数の偏光形成部のうち所定方向の両端の偏光形成部は、反射膜を内蔵する単一の四角柱状のプリズム部分を軸方向が所定方向及び光軸に垂直になるように配置したものである。この場合、波面分割手段によって形成された２次光源像のうち光軸から最も離れたものについては、一方向の偏光のみを得ることになるが、この際の光量ロスは全体からするとほとんど影響のない量である。
【００１０】
また、本発明の別の具体的態様では、波面分割手段が、複数の光学要素として複数のレンズ要素を有する第１フライアイ光学系と、当該第１フライアイ光学系の後段に配置されるとともに、当該第１フライアイ光学系の複数の光学要素にそれぞれ対応して配置される複数のレンズ要素を有する第２フライアイ光学系とを備える。この場合、第１フライアイ光学系によって形成された２次光源像を第２フライアイ光学系によって所望の光束に絞ることができる。
【００１１】
また、本発明の別の具体的態様では、第２フライアイ光学系を構成する複数のレンズ要素が、所定方向に第２間隔で周期的に配置されている。この場合、第２フライアイ光学系を経た光源光を各偏光形成部に効率的に取り込んで偏光変換することができる。
【００１２】
また、本発明の別の具体的態様では、第１フライアイ光学系を構成する複数のレンズ要素が、偏心した形状によって、第２フライアイ光学系を構成する複数のレンズ要素の位置に対応して２次光源像を形成する。この場合、配置の周期間隔が異なる第１フライアイ光学系と第２フライアイ光学系とのマッチングを簡易に達成することができる。
【００１３】
また、本発明の別の具体的態様では、照明光投射手段を経た光源光から各色の照明光を分割する色分割光学系をさらに備える。この場合、均一で損失の少ない照明光を得ることができる。
【００１４】
また、本発明に係るプロジェクタは、（ａ）上述の照明装置と、（ｂ）各色の照明光によってそれぞれ照明されるとともに各色の照明光を個別に変調する複数の光変調装置と、（ｃ）各色の照明光を複数の光変調装置によって変調することによって得られる各色の像光を合成して射出する光合成部材と、（ｄ）光合成部材を経て合成された像光を投射する投射光学系とを備える。
【００１５】
上記プロジェクタでは、上述の照明装置を用いており、高輝度の照明光によって各色の光変調装置をそれぞれ照明することができ、高輝度で輝度ムラのないカラー画像を投射することができる。
【００１６】
また、本発明に係る別のプロジェクタは、（ａ）上述の照明装置と、（ｂ）照明装置からの照明光によって照明されるとともに照明光を変調する光変調装置と、（ｂ）照明光を光変調装置によって変調することによって得られる像光を投射する投射光学系とを備える。
【００１７】
上記プロジェクタでは、上述の照明装置を用いており、高輝度の照明光によって光変調装置を照明することができ、高輝度で輝度ムラのない画像を投射することができる。
【発明を実施するための最良の形態】
【００１８】
図１は、本発明の一実施形態に係るプロジェクタの光学系を説明する図である。このプロジェクタ１０は、光源光を発生する光源装置２１と、光源装置２１からの光源光をＲＧＢの３色に分割する色分割光学系２３と、色分割光学系２３から射出された各色の照明光によって照明される光変調部２５と、光変調部２５からの各色の変調光を合成するための光合成部材であるクロスダイクロイックプリズム２７と、クロスダイクロイックプリズム２７を経た像光をスクリーン（不図示）に投射するための投射光学系である投射レンズ２９とを備える。
【００１９】
ここで、光源装置２１は、光源ランプ２１ａと、一対のフライアイ光学系２１ｄ，２１ｅと、偏光変換部材２１ｇと、重畳レンズ２１ｉとを備える。ここで、光源ランプ２１ａは、例えば高圧水銀ランプからなる光源であり、光源光をコリメートするための凹面鏡を備える。一対のフライアイ光学系２１ｄ，２１ｅは、マトリックス状に配置された複数の要素レンズからなる波面分割手段であり、これらの要素レンズによって、光源ランプ２１ａからの光源光を分割して個別に集光・発散させる。偏光変換部材２１ｇは、フライアイ光学系２１ｅから射出した光源光を例えば図１の紙面に垂直なＳ偏光成分のみに変換して次段光学系に供給する。重畳レンズ２１ｉは、偏光変換部材２１ｇを経た照明光を全体として適宜収束させて、光変調部２５に設けた各色の光変調装置に対する重畳照明を可能にする照明光投射手段である。つまり、両フライアイ光学系２１ｄ，２１ｅと重畳レンズ２１ｉとを経た照明光は、以下に詳述する色分割光学系２３を経て、光変調部２５を構成する各色の光変調装置すなわち各色の液晶ライトバルブ２５ａ〜２５ｃを均一に重畳照明する。
【００２０】
色分割光学系２３は、第１及び第２ダイクロイックミラー２３ａ，２３ｂと、３つのフィールドレンズ２３ｆ，２３ｇ，２３ｈと、反射ミラー２３ｍ，２３ｎ，２３ｏとを備え、光源装置２１とともに照明装置を構成する。第１ダイクロイックミラー２３ａは、ＲＧＢの３色のうちＲ光を反射しＧ光及びＢ光を透過させる。また、第２ダイクロイックミラー２３ｂは、入射したＧＢの２色のうちＧ光を反射しＢ光を透過させる。この色分割光学系２３において、光源装置２１からの白色の照明光は、第１ダイクロイックミラー２３ａに入射する。第１ダイクロイックミラー２３ａで反射されたＲ光は、例えばＳ偏光のまま第１光路ＯＰ１に導かれ、反射ミラー２３ｍを経て入射角度を調節するためのフィールドレンズ２３ｆに入射する。また、第１ダイクロイックミラー２３ａを透過して第２ダイクロイックミラー２３ｂで反射されたＧ光は、例えばＳ偏光のまま第２光路ＯＰ２に導かれフィールドレンズ２３ｇに入射する。さらに、第２ダイクロイックミラー２３ｂを通過したＢ光は、例えばＳ偏光のまま第３光路ＯＰ３に導かれ、光路長差を補償するためのリレーレンズＬＬ１，ＬＬ２及び反射ミラー２３ｎ，２３ｏを経て入射角度を調節するためのフィールドレンズ２３ｈに入射する。
【００２１】
光変調部２５は、３色の照明光がそれぞれ入射する３つの液晶ライトバルブ２５ａ，２５ｂ，２５ｃと、各液晶ライトバルブ２５ａ，２５ｂ，２５ｃを挟むように配置される３組の偏光フィルタ２５ｅ，２５ｆ，２５ｇとを備える。第１光路ＯＰ１に導かれたＲ光は、フィールドレンズ２３ｆを介して液晶ライトバルブ２５ａの被照射面に入射する。第２光路ＯＰ２に導かれたＧ光は、フィールドレンズ２３ｇを介して液晶ライトバルブ２５ｂの被照射面に入射する。第３光路ＯＰ３に導かれたＢ光は、フィールドレンズ２３ｈを介して液晶ライトバルブ２５ｃの被照射面に入射する。各液晶ライトバルブ２５ａ〜２５ｃは、入射した照明光の空間的強度分布を変調するための非発光型の光変調装置であり、各液晶ライトバルブ２５ａ〜２５ｃにそれぞれ入射した３色の光は、各液晶ライトバルブ２５ａ〜２５ｃに電気的信号として入力された駆動信号或いは画像信号に応じて画素単位で偏光状態が調整される。その際、偏光フィルタ２５ｅ〜２５ｇによって、各液晶ライトバルブ２５ａ〜２５ｃに入射する照明光の偏光方向が調整されるとともに、各液晶ライトバルブ２５ａ〜２５ｃから射出される光から所定の偏光方向の変調光が取り出される。
【００２２】
クロスダイクロイックプリズム２７は、光合成部材であり、Ｒ光反射用の反射膜（例えば誘電体多層膜、アルミ膜等）２７ａとＢ光反射用の反射膜（例えば誘電体多層膜、アルミ膜等）２７ｂとを直交させた状態で内蔵するものである。このクロスダイクロイックプリズム２７は、液晶ライトバルブ２５ａからのＲ光を反射膜２７ａで反射して進行方向右側に射出させ、液晶ライトバルブ２５ｂからのＧ光を反射膜２７ａ，２７ｂを介して直進・射出させ、液晶ライトバルブ２５ｃからのＢ光を反射膜２７ｂで反射して進行方向左側に射出させる。このようにクロスダイクロイックプリズム２７で合成された像光は、投射レンズ２９を経て適当な拡大率でスクリーン（不図示）にカラー画像として投射される。
【００２３】
図２は、光源装置２１のうち本実施形態の特徴部分を説明する図である。ここで、光源ランプ２１ａ側の第１フライアイ光学系２１ｄは、これを構成する複数の光学要素として、光軸ＯＡに垂直なＸ軸方向に間隔ΔＸ１で周期的に配置された複数のレンズ要素ＬＥ１を有している。これにより、光源ランプ２１ａからの光源光をＸ軸方向に関して間隔ΔＸ１に対応する周期で分割することができる。このように分割された光源光は、第２フライアイ光学系２１ｅの付近に２次光源像を形成する。
【００２４】
一方、第２フライアイ光学系２１ｅは、これを構成する複数の光学要素として、光軸ＯＡに垂直なＸ軸方向に間隔ΔＸ１より大きな間隔ΔＸ２で周期的に配置された複数のレンズ要素ＬＥ２を有している。このように、第１フライアイ光学系２１ｄの周期と第２フライアイ光学系２１ｅの周期とが異なっていることから、第１フライアイ光学系２１ｄを構成する各レンズ要素ＬＥ１を偏心若しくは傾斜させて、第２フライアイ光学系２１ｅを構成する各レンズ要素ＬＥ２の軸心上に２次光源像を形成している。これにより、第１フライアイ光学系２１ｄによる２次光源像を効率良く第２フライアイ光学系２１ｅを介して収束させることができ、延いては偏光変換部材２１ｇに効率よく結合することができる。
【００２５】
偏光変換部材２１ｇは、光源光を例えばＳ偏光に変換するための偏光変換手段であり、光軸ＯＡに垂直なＸ軸方向に間隔ΔＸ２で周期的に配置された複数の偏光形成部４１を有している。各偏光形成部４１の軸は、これらが配列されるＸ軸方向と光軸ＯＡ方向との双方に対して垂直なＹ方向に延びている。また、各偏光形成部４１は、光軸ＯＡを含み紙面に垂直な面を挟んで対称に配列されているため、光軸ＯＡ近傍でつなぎ目ＣＯを有し不連続になっている。
【００２６】
各偏光形成部４１は、偏光変換部材２１ｇの両端に配置されるものを除き、一対の誘電体多層膜４３，４４を内蔵している。つまり、偏光形成部４１は、それぞれが反射膜（例えば誘電体多層膜、アルミ膜等）４３，４４を内蔵する一対の四角柱状のプリズム部材からなる。一方のプリズム部材に内蔵される反射膜４３は、偏光分離膜であり、入射した光源光からＰ偏光とＳ偏光とを分離する。反射膜４３を透過したＰ偏光は、λ／２波長板４５を経て光軸ＯＡ方向に射出される際にＳ偏光に変換される。また、他方のプリズム部材に内蔵される反射膜４４は、コールドミラーであり、反射膜４３で反射されたＳ偏光をそのままの偏光状態で反射して、光軸ＯＡ方向に射出する。これにより、偏光変換部材２１ｇの光源側に一定間隔で設けられた入射面ＩＳに入射した光源光をＳ偏光のみに変換して光軸ＯＡ方向に射出することができる。
【００２７】
以上、光源装置２１の主にＸ軸方向の構造について説明したが、第１及び第２フライアイ光学系２１ｄ，２１ｅを構成する各レンズ要素ＬＥ１，ＬＥ２は、Ｙ軸方向に関して同一寸法及び周期で繰返される構造を有する。これは、偏光変換部材２１ｇを構成する各偏光形成部４１がＹ軸方向に連続して延びており、Ｙ軸方向に関して繰返し構造となっていないことによる。
【００２８】
図３（ａ）は、偏光変換部材２１ｇのうち光軸ＯＡ近傍の中央と光軸ＯＡから離れた端部との中間位置にある偏光形成部４１における光源光の通過を示している。入射面ＩＳに入射した光源光ＳＬは、無駄なくＳ偏光とされるが、隣接する非入射面ＮＩＳに入射した光源光は、Ｓ偏光に変換されないので、無駄となることが分かる。図３（ｂ）は、偏光変換部材２１ｇのうち光軸ＯＡの近傍位置にある偏光形成部４１における光源光の通過を示している。入射面ＩＳに入射した光源光ＳＬは、無駄なくＳ偏光とされるが、隣接する非入射面ＮＩＳに入射した光源光は、Ｓ偏光とされず無駄となる。図３（ｃ）は、偏光変換部材２１ｇのうち光軸ＯＡから最も離れた端部位置にある偏光形成部４１における光源光ＳＬの通過を示している。端部位置にある偏光形成部４１は、反射膜４３を内蔵するプリズム部材のみからなり、反射膜４４を内蔵するプリズム部材を有していない。この結果、入射面ＩＳに入射した光源光ＳＬのうち、反射膜４３を透過したＰ偏光に関しては照明光として利用されるが、反射膜４３で反射されたＳ偏光に関しては照明光として利用されない。
【００２９】
図４は、第１フライアイ光学系２１ｄによって形成される２次光源像の一例を示す図である。図からも明らかなように、２次光源像は、光軸に近い中央部で極めて輝度が高くなっており、周辺で急速に輝度が低下している。しかも、光軸に近い中央部に形成される２次光源像は、滲んで広がっており、第２フライアイ光学系２１ｅや偏光変換部材２１ｇに正確に入射させなければ、大きな無駄が発生することが分かる。つまり、図３（ｂ）に示すような光軸ＯＡの近傍位置に入射する光源光ＳＬは、入射面ＩＳに隣接する非入射面ＮＩＳに入射させることを極力回避すべきである。本実施形態においては、偏光変換部材２１ｇに設けた偏光形成部４１の周期的な間隔ΔＸ２を第１フライアイ光学系２１ｄに設けたレンズ要素ＬＥ１の周期的な間隔ΔＸ１よりも多少大きくしているので、光軸ＯＡの近傍位置における偏光形成部４１のＸ軸方向の幅が、第１及び第フライアイ光学系２１ｄ，２１ｅの寸法を一致させた従来柄の場合に比較して相対的に広くなっており、光軸ＯＡの近傍位置に入射する光源光ＳＬを、入射面ＩＳに比較的ロス無く効率的に入射させることができる。一方、図３（ｃ）に示すような端部位置に入射する光源光ＳＬは、全体からすると強度が極めて弱く、偏光形成部４１で約半分の光源光ＳＬが無駄になっても、照明光の本質的輝度低下に至らない。しかも、偏光変換部材２１ｇを通過する光源光全体のビーム径は、第１及び第フライアイ光学系２１ｄ，２１ｅの寸法を一致させた従来型の場合と変わらないので、重畳レンズ２１ｉやその後段の設計を変更する必要がない。
【００３０】
以下、本実施形態に係るプロジェクタ１０の動作について説明する。光源装置２１からの光源光は、色分割光学系２３に設けた第１及び第２ダイクロイックミラー２３ａ，２３ｂによって色分割され、対応する液晶ライトバルブ２５ａ〜２５ｃに照明光としてそれぞれ入射する。各液晶ライトバルブ２５ａ〜２５ｃは、外部からの画像信号によって変調されて２次元的屈折率分布を有しており、照明光を２次元空間的に画素単位で変調する。このように、各液晶ライトバルブ２５ａ〜２５ｃで変調された照明光すなわち像光は、クロスダイクロイックプリズム２７で合成された後、投射レンズ２９に入射する。投射レンズ２９に入射した像光は、不図示のスクリーンに投影される。この際、第１フライアイ光学系２１ｄを構成するレンズ要素ＬＥ１のＸ軸方向の周期に比較して、第２フライアイ光学系２１ｅのレンズ要素ＬＥ２や偏光変換部材２１ｇの偏光形成部４１のＸ軸方向の周期が適宜大きくなるように調整しているので、光軸ＯＡ近傍の光源を無駄なく特定方向の偏光（例えばＳ偏光）に変換することができ、各液晶ライトバルブ２５ａ〜２５ｃに対する均一で明るい照明を達成することができる。このような良好な照明を液晶ライトバルブ２５ａ〜２５ｃに対して行うことにより、鮮明で輝度ムラのないカラー画像をスクリーン上に投射することができる。
【００３１】
以上、実施形態に即して本発明を説明したが、本発明は上記実施形態に限定されるものではない。例えば、上記各実施形態において、プロジェクタ１０は、３枚の液晶ライトバルブ２５ａ〜２５ｃからなるいわゆる３板式のプロジェクタであるが、白色光源とカラータイプの液晶ライトバルブとを組み合わせた単板式のプロジェクタにおいても、本願のような光源装置２１を用いることによって均一で明るい照明を達成することができる。
【図面の簡単な説明】
【００３２】
【図１】第１実施形態のプロジェクタの光学系を説明する図である。
【図２】光源装置のうち本実施形態の特徴部分を説明する図である。
【図３】（ａ）〜（ｂ）は、偏光変換部材の各部における光源光の通過を説明する図である。
【図４】第１フライアイ光学系によって形成される２次光源像の一例を示す図である。
【符号の説明】
【００３３】
１０…プロジェクタ、  ２１…光源装置、  ２１ａ…光源ランプ、  ２１ｄ…第１フライアイ光学系、  ２１ｅ…第２フライアイ光学系、  ２１ｇ…偏光変換部材、  ２１ｉ…重畳レンズ、  ２３…色分割光学系、  ２５…光変調部、  ２５ａ，２５ｂ，２５ｃ…液晶ライトバルブ、  ２５ｅ，２５ｆ，２５ｇ…偏光フィルタ、  ２７…クロスダイクロイックプリズム、  ２７ａ，２７ｂ…反射膜、  ２９…投射レンズ、  ４１…偏光形成部、  ４３，４４…反射膜、  ＬＥ１，ＬＥ２…各レンズ要素、  ＯＡ…光軸
【図１】
2005266114.tif 000003
【図２】
2005266114.tif 000004
【図３】
2005266114.tif 000005
【図４】
2005266114.tif 000006